(57)【要約】【課題】視聴中でないテレビジョン番組に関連する番組関連情報を取得できるテレビジョン受信機を提供する。【解決手段】テレビジョン受信機１００は、テレビジョン信号１１などから取得した番組表情報から、テレビジョン番組に関連する番組関連情報の個数を示す数量情報を取得し、取得した数量情報をテレビジョン画面に表示する。ユーザが番組関連情報を取得する対象となるテレビジョン番組を選択したときには、テレビジョン受信機１００は、選択されたテレビジョン番組の番組識別コードを用いてアドレスサーバ２００から番組関連情報のＵＲＬを取得し、取得したＵＲＬを用いて情報サーバ３００から番組関連情報を取得して、取得した番組関連情報をテレビジョン映像に重畳するなどして表示する。【選択図】　　　　図７
2004080748.tif 000002
【特許請求の範囲】
【請求項１】
テレビジョン信号を受信し、かつ通信網を介して情報を取得するテレビジョン受信機であって、
前記テレビジョン信号に基づきテレビジョン映像を求め、求めたテレビジョン映像をテレビジョン画面に表示するテレビジョン放送受信手段と、
取得した番組表情報から、テレビジョン番組に関連した番組関連情報の数量を取得する数量取得手段と、
前記数量取得手段で取得した数量を、前記テレビジョン画面に表示する数量表示手段と、
ユーザからの指示を入力するための入力手段と、
前記入力手段を用いて選択されたテレビジョン番組に関連した番組関連情報を、前記通信網を介して取得する情報取得手段と、
前記情報取得手段で取得した番組関連情報を、前記テレビジョン画面に表示する情報表示手段とを備えた、テレビジョン受信機。
【請求項２】
前記数量取得手段は、前記テレビジョン信号から、あるいは、前記通信網を介して前記番組表情報を取得し、前記番組表情報に含まれている各テレビジョン番組について、前記数量を取得することを特徴とする、請求項１に記載のテレビジョン受信機。
【請求項３】
前記数量表示手段は、前記番組表情報に含まれている各テレビジョン番組を、前記数量取得手段で取得した数量に応じた態様で表した番組表を作成し、作成した番組表を前記テレビジョン画面に表示することを特徴とする、請求項２に記載のテレビジョン受信機。
【請求項４】
前記数量表示手段は、前記番組表情報に基づき、前記数量取得手段で取得した数量を含んだ番組表を作成し、作成した番組表を前記テレビジョン画面に表示することを特徴とする、請求項２に記載のテレビジョン受信機。
【請求項５】
前記数量表示手段は、前記数量取得手段で取得した数量を含んだ番組内容画面を、縮小された前記テレビジョン映像と共に、前記テレビジョン画面に表示することを特徴とする、請求項４に記載のテレビジョン受信機。
【請求項６】
前記数量取得手段は、前記テレビジョン映像として表示されているテレビジョン番組について、前記数量を取得することを特徴とする、請求項１に記載のテレビジョン受信機。
【請求項７】
前記数量表示手段は、前記数量取得手段で取得した数量に応じたバナーを、前記テレビジョン映像に重畳して表示することを特徴とする、請求項６に記載のテレビジョン受信機。
【請求項８】
前記数量表示手段は、前記数量取得手段で取得した数量を含んだ番組内容画面を、縮小された前記テレビジョン映像と共に、前記テレビジョン画面に表示することを特徴とする、請求項６に記載のテレビジョン受信機。
【請求項９】
前記番組表情報から、テレビジョン番組を一意に識別できる番組識別情報を取得する番組識別情報取得手段をさらに備え、
前記情報取得手段は、前記番組識別情報取得手段で取得した番組識別情報を用いて、前記通信網を介して所望の番組関連情報を取得することを特徴とする、請求項１に記載のテレビジョン受信機。
【請求項１０】
前記情報取得手段は、前記番組識別情報取得手段で取得した番組識別情報を用いて、通信可能に接続され、かつ番組識別情報と番組関連情報とを対応づけて蓄積している情報サーバにアクセスすることにより、所望の番組関連情報を取得することを特徴とする、請求項９に記載のテレビジョン受信機。
【請求項１１】
前記情報取得手段は、前記番組識別情報取得手段で取得した番組識別情報を用いて、通信可能に接続され、かつ番組識別情報と番組関連情報のアドレス情報とを対応づけて蓄積しているアドレスサーバにアクセスし、前記アドレスサーバから取得した番組関連情報のアドレス情報を用いて、通信可能に接続され、かつ、番組関連情報と番組関連情報のアドレス情報とを対応付けて蓄積している情報サーバにアクセスすることにより、所望の番組関連情報を取得することを特徴とする、請求項９に記載のテレビジョン受信機。
【請求項１２】
前記情報表示手段は、前記情報取得手段が前記情報サーバにアクセスする前に、前記アドレスサーバから取得した番組関連情報のアドレス情報を前記テレビジョン画面に表示することを特徴とする、請求項１１に記載のテレビジョン受信機。
【請求項１３】
前記番組識別情報が、テレビジョン番組が放送されるチャンネルと日時とを含んだ符号化された情報であることを特徴とする、請求項９に記載のテレビジョン受信機。
【請求項１４】
前記番組識別情報が、Ｇコード（登録商標）であることを特徴とする、請求項１３に記載のテレビジョン受信機。
【請求項１５】
前記番組識別情報が、テレビジョン番組が放送される放送局と日時とを含んだ符号化された情報であることを特徴とする、請求項９に記載のテレビジョン受信機。
【請求項１６】
情報サーバからテレビジョン受信機に情報を提供するシステムであって、
通信可能に接続されたテレビジョン受信機と情報サーバとを備え、
前記テレビジョン受信機は、
受信したテレビジョン信号に基づきテレビジョン映像を求め、求めたテレビジョン映像をテレビジョン画面に表示するテレビジョン放送受信手段と、
取得した番組表情報から、テレビジョン番組に関連した番組関連情報の数量を取得する数量取得手段と、
前記番組表情報から、テレビジョン番組を一意に識別できる番組識別情報を取得する番組識別情報取得手段と、
前記数量取得手段で取得した数量を、前記テレビジョン画面に表示する数量表示手段と、
ユーザからの指示を入力するための入力手段と、
前記情報サーバから、前記入力手段を用いて選択されたテレビジョン番組に関連した番組関連情報を取得する情報取得手段と、
前記情報取得手段で取得した番組関連情報を、前記テレビジョン画面に表示する情報表示手段とを含み、
前記情報サーバは、番組識別情報と番組関連情報とを対応づけて蓄積し、前記テレビジョン受信機から番組識別情報を受信したときに、受信した番組識別情報に対応した番組関連情報を前記テレビジョン受信機に送信することを特徴とする、システム。
【請求項１７】
前記数量取得手段は、前記テレビジョン信号から、あるいは、前記通信網を介して前記番組表情報を取得することを特徴とする、請求項１６に記載のシステム。
【請求項１８】
前記数量取得手段は、前記テレビジョン映像として表示されているテレビジョン番組について、前記番組表情報から前記数量を取得し、
前記番組識別情報取得手段は、前記テレビジョン映像として表示されているテレビジョン番組について、前記番組表情報から前記番組識別情報を取得することを特徴とする、請求項１６に記載のシステム。
【請求項１９】
番組識別情報と番組関連情報のアドレス情報とを対応づけて蓄積し、前記テレビジョン受信機から番組識別情報を受信したときに、受信した番組識別情報に対応した番組関連情報のアドレス情報を前記テレビジョン受信機に送信するアドレスサーバをさらに備え、
前記情報サーバは、番組識別情報に代えて番組関連情報のアドレス情報を番組関連情報と対応づけて蓄積しており、
前記情報取得手段は、前記番組識別情報取得手段で取得した番組識別情報を用いて前記アドレスサーバにアクセスし、前記アドレスサーバから取得した番組関連情報のアドレス情報を用いて前記情報サーバにアクセスすることにより、所望の番組関連情報を取得することを特徴とする、請求項１６に記載のシステム。
【発明の詳細な説明】
【０００１】
【発明の属する技術分野】
本発明は、デジタルテレビジョン受信機やパーソナルコンピュータや携帯電話機などテレビジョン放送受信機能を有する機器、およびテレビジョン放送受信機能を有する機器に情報を提供するシステムに関する。
【０００２】
【従来の技術】
テレビジョン番組の予約録画などを行うときに、録画するテレビジョン番組を簡単に選択する方法の１つとして、Ｇコード（登録商標）を使用する方法が知られている。Ｇコード（登録商標）は、番組を一意に識別できる番組識別情報の一種であり、予約録画を行うために必要とされる日付、チャンネル、番組開始時刻および番組の長さを圧縮符号化して、８桁以下の数字で表現したコードである。
【０００３】
Ｇコード（登録商標）の利用方法は、今のところ、ビデオ機器における予約録画にほぼ限られている。これ以外の利用方法として、特許文献１には、Ｇコード（登録商標）を用いて、テレビジョン番組に関連する番組関連情報を提供する情報提供システムが開示されている。
【０００４】
図１７は、特許文献１に開示された情報提供システムの構成を示す図である。図１７に示すシステムでは、ユーザ用端末装置１７０１と情報提供者用端末装置１７０２と管理装置１７０３とが、通信網１７０４を介して接続されている。情報提供者は、Ｇコード（登録商標）などの番組識別情報とユーザに提供すべき番組関連情報とを対応づけて情報提供者用端末装置１７０２に入力する。入力された番組識別情報と番組関連情報とは、情報提供者用端末装置１７０２から管理装置１７０３に送信され、対応づけを保って管理装置１７０３のデータベースに蓄積される。
【０００５】
ユーザは、あるテレビジョン番組に関連する番組関連情報を取得しようとするときには、当該テレビジョン番組の番組識別情報をユーザ用端末装置１７０１に入力する。入力された番組識別情報は、ユーザ用端末装置１７０１から管理装置１７０３に送信される。管理装置１７０３は、番組識別情報を受信したときには、受信した番組識別情報に対応した番組関連情報をデータベースから読み出し、読み出した番組関連情報をユーザ用端末装置１７０１に送信する。ユーザ用端末装置１７０１は、管理装置１７０３から受信した番組関連情報を画面に表示する。これにより、ユーザは、テレビジョン番組に関連する番組関連情報の提供を受けることができる。
【０００６】
【特許文献１】
特開２００２−３５４４４５号公報
【０００７】
【発明が解決しようとする課題】
しかしながら、上記従来の情報提供システムには、以下のような問題がある。まず、このシステムでは、ユーザが新聞や雑誌などに掲載された番組表を参照して、Ｇコード（登録商標）などの番組識別情報を入力する必要がある。このため、このシステムには、ユーザに面倒な操作を強いるという問題がある。また、このシステムには、番組識別情報と番組関連情報とを対応づけて記憶する管理装置を新たに設ける必要があるという問題がある。さらに、このシステムには、ユーザは、番組識別情報を入力し管理装置から送信された結果を受信するまでは、番組識別情報に対応した番組関連情報が存在するか否かを知ることができないという問題がある。
【０００８】
それ故に、本発明は、番組関連情報を取得する対象となるテレビジョン番組を簡単に選択でき、テレビジョン番組を選択する前にテレビジョン番組に関連する番組関連情報が存在するか否かをユーザに認識させるテレビジョン受信機、およびこれを含んだシステムを提供することを目的とする。
【０００９】
【課題を解決するための手段および発明の効果】
第１の発明は、テレビジョン信号を受信し、かつ通信網を介して情報を取得するテレビジョン受信機であって、テレビジョン信号に基づきテレビジョン映像を求め、求めたテレビジョン映像をテレビジョン画面に表示するテレビジョン放送受信手段と、取得した番組表情報から、テレビジョン番組に関連した番組関連情報の数量を取得する数量取得手段と、数量取得手段で取得した数量を、テレビジョン画面に表示する数量表示手段と、ユーザからの指示を入力するための入力手段と、入力手段を用いて選択されたテレビジョン番組に関連した番組関連情報を、通信網を介して取得する情報取得手段と、情報取得手段で取得した番組関連情報を、テレビジョン画面に表示する情報表示手段とを備える。
このような第１の発明によれば、テレビジョン番組に関連する番組関連情報の数量がテレビジョン画面に表示されるので、ユーザは、テレビジョン番組を選択する前にテレビジョン番組に関連する番組関連情報が存在するか否かを認識することができる。したがって、ユーザは、番組関連情報を取得する対象となるテレビジョン番組を効率的に選択することができる。
【００１０】
第２の発明は、第１の発明において、数量取得手段は、テレビジョン信号から、あるいは、通信網を介して番組表情報を取得し、番組表情報に含まれている各テレビジョン番組について、数量を取得することを特徴とする。
このような第２の発明によれば、番組関連情報の数量を含んだ番組表情報を取得することにより、番組関連情報の数量を一括して取得することができる。
【００１１】
第３の発明は、第２の発明において、数量表示手段は、番組表情報に含まれている各テレビジョン番組を、数量取得手段で取得した数量に応じた態様で表した番組表を作成し、作成した番組表をテレビジョン画面に表示することを特徴とする。
このような第３の発明によれば、テレビジョン画面に表示される番組表には、各テレビジョン番組が番組関連情報の数量に応じた態様で表されているので、ユーザは、テレビジョン番組に関連する番組関連情報が存在するか否かを容易に認識することができる。
【００１２】
第４の発明は、第２の発明において、数量表示手段は、番組表情報に基づき、数量取得手段で取得した数量を含んだ番組表を作成し、作成した番組表をテレビジョン画面に表示することを特徴とする。
このような第４の発明によれば、番組関連情報の数量を番組表と対応づけてテレビジョン画面に表示することにより、ユーザは、テレビジョン番組に関連する番組関連情報が存在するか否かを容易に認識することができる。また、テレビジョン画面に表示された番組表を用いて、番組関連情報を取得する対象となるテレビジョン番組を選択することにより、ユーザは、視聴中でないテレビジョン番組に関連する番組関連情報を取得することができる。
【００１３】
第５の発明は、第４の発明において、数量表示手段は、数量取得手段で取得した数量を含んだ番組内容画面を、縮小されたテレビジョン映像と共に、テレビジョン画面に表示することを特徴とする。
このような第５の発明によれば、番組関連情報の数量を、縮小されたテレビジョン映像と共に表示することにより、ユーザは、テレビジョン番組を見ながら、視聴中のテレビジョン番組に関連する番組関連情報が存在するか否かを認識することができる。
【００１４】
第６の発明は、第１の発明において、数量取得手段は、テレビジョン映像として表示されているテレビジョン番組について、数量を取得することを特徴とする。
このような第６の発明によれば、ユーザは、視聴中のテレビジョン番組に関連する番組関連情報が存在するか否かを認識した上で、番組関連情報の取得を指示することができる。
【００１５】
第７の発明は、第６の発明において、数量表示手段は、数量取得手段で取得した数量に応じたバナーを、テレビジョン映像に重畳して表示することを特徴とする。
このような第７の発明によれば、番組関連情報の数量に応じたバナーをテレビジョン画面に表示することにより、ユーザは、視聴中のテレビジョン番組に関連する番組関連情報が存在するか否かを容易に認識することができる。
【００１６】
第８の発明は、第６の発明において、数量表示手段は、数量取得手段で取得した数量を含んだ番組内容画面を、縮小されたテレビジョン映像と共に、テレビジョン画面に表示することを特徴とする。
このような第８の発明によれば、番組関連情報の数量を、縮小されたテレビジョン映像と共に表示することにより、ユーザは、テレビジョン番組を見ながら、視聴中のテレビジョン番組に関連する番組関連情報が存在するか否かを認識することができる。
【００１７】
第９の発明は、第１の発明において、番組表情報から、テレビジョン番組を一意に識別できる番組識別情報を取得する番組識別情報取得手段をさらに備え、情報取得手段は、番組識別情報取得手段で取得した番組識別情報を用いて、通信網を介して所望の番組関連情報を取得することを特徴とする。
このような第９の発明によれば、情報サーバへのアクセスを、番組関連情報のアドレス情報ではなく番組識別情報を用いて行うことにより、番組表情報のデータ量を削減することができる。
【００１８】
第１０の発明は、第９の発明において、情報取得手段は、番組識別情報取得手段で取得した番組識別情報を用いて、通信可能に接続され、かつ番組識別情報と番組関連情報とを対応づけて蓄積している情報サーバにアクセスすることにより、所望の番組関連情報を取得することを特徴とする。
このような第１０の発明によれば、情報サーバに番組識別情報と番組関連情報とを対応づけて蓄積することにより、テレビジョン受信機は、番組識別情報を用いて情報サーバから番組関連情報を取得することができる。
【００１９】
第１１の発明は、第９の発明において、情報取得手段は、番組識別情報取得手段で取得した番組識別情報を用いて、通信可能に接続され、かつ番組識別情報と番組関連情報のアドレス情報とを対応づけて蓄積しているアドレスサーバにアクセスし、アドレスサーバから取得した番組関連情報のアドレス情報を用いて、通信可能に接続され、かつ、番組関連情報と番組関連情報のアドレス情報とを対応付けて蓄積している情報サーバにアクセスすることにより、所望の番組関連情報を取得することを特徴とする。
このような第１１の発明によれば、アドレスサーバに番組識別情報と番組関連情報のアドレス情報とを対応づけて蓄積することにより、既存の情報サーバをそのまま使用した場合でも、テレビジョン受信機は、番組識別情報を用いて情報サーバから番組関連情報を取得することができる。
【００２０】
第１２の発明は、第１１の発明において、情報表示手段は、情報取得手段が情報サーバにアクセスする前に、アドレスサーバから取得した番組関連情報のアドレス情報をテレビジョン画面に表示することを特徴とする。
このような第１２の発明によれば、ユーザは、テレビジョン画面に表示された番組関連情報のアドレス情報を確認した上で、取得したい番組関連情報を選択することができる。
【００２１】
第１３の発明は、第９の発明において、番組識別情報が、テレビジョン番組が放送されるチャンネルと日時とを含んだ符号化された情報であることを特徴とする。
このような第１３の発明によれば、テレビジョン番組を正しく一意に識別することができる。
【００２２】
第１４の発明は、第１３の発明において、番組識別情報が、Ｇコード（登録商標）であることを特徴とする。
このような第１４の発明によれば、既存の技術を用いて、テレビジョン番組を正しく一意に識別することができる。
【００２３】
第１５の発明は、第９の発明において、番組識別情報が、テレビジョン番組が放送される放送局と日時とを含んだ符号化された情報であることを特徴とする。
このような第１５の発明によれば、テレビジョン番組を高い確実性をもって正しく一意に識別することができる。
【００２４】
第１６の発明は、情報サーバからテレビジョン受信機に情報を提供するシステムであって、通信可能に接続されたテレビジョン受信機と情報サーバとを備え、テレビジョン受信機は、受信したテレビジョン信号に基づきテレビジョン映像を求め、求めたテレビジョン映像をテレビジョン画面に表示するテレビジョン放送受信手段と、取得した番組表情報から、テレビジョン番組に関連した番組関連情報の数量を取得する数量取得手段と、番組表情報から、テレビジョン番組を一意に識別できる番組識別情報を取得する番組識別情報取得手段と、数量取得手段で取得した数量を、テレビジョン画面に表示する数量表示手段と、ユーザからの指示を入力するための入力手段と、情報サーバから、入力手段を用いて選択されたテレビジョン番組に関連した番組関連情報を取得する情報取得手段と、情報取得手段で取得した番組関連情報を、テレビジョン画面に表示する情報表示手段とを含み、情報サーバは、番組識別情報と番組関連情報とを対応づけて蓄積し、テレビジョン受信機から番組識別情報を受信したときに、受信した番組識別情報に対応した番組関連情報をテレビジョン受信機に送信することを特徴とする。
このような第１６の発明によれば、テレビジョン番組に関連する番組関連情報の数量がテレビジョン画面に表示されるので、ユーザは、テレビジョン番組を選択する前にテレビジョン番組に関連する番組関連情報が存在するか否かを認識することができる。したがって、ユーザは、番組関連情報を取得する対象となるテレビジョン番組を効率的に選択することができる。また、情報サーバへのアクセスを、番組関連情報のアドレス情報ではなく番組識別情報を用いて行うことにより、番組表情報のデータ量を削減することができる。
【００２５】
第１７の発明は、第１６の発明において、数量取得手段は、テレビジョン信号から、あるいは、通信網を介して番組表情報を取得することを特徴とする。
このような第１７の発明によれば、番組関連情報の数量を含んだ番組表情報を取得することにより、番組関連情報の数量を一括して取得することができる。
【００２６】
第１８の発明は、第１６の発明において、数量取得手段は、テレビジョン映像として表示されているテレビジョン番組について、番組表情報から数量を取得し、番組識別情報取得手段は、テレビジョン映像として表示されているテレビジョン番組について、番組表情報から番組識別情報を取得することを特徴とする。
このような第１８の発明によれば、ユーザは、視聴中のテレビジョン番組に関連する番組関連情報が存在するか否かを認識した上で、番組関連情報の取得を指示することができる。
【００２７】
第１９の発明は、第１６の発明において、番組識別情報と番組関連情報のアドレス情報とを対応づけて蓄積し、テレビジョン受信機から番組識別情報を受信したときに、受信した番組識別情報に対応した番組関連情報のアドレス情報をテレビジョン受信機に送信するアドレスサーバをさらに備え、情報サーバは、番組識別情報に代えて番組関連情報のアドレス情報を番組関連情報と対応づけて蓄積しており、情報取得手段は、番組識別情報取得手段で取得した番組識別情報を用いてアドレスサーバにアクセスし、アドレスサーバから取得した番組関連情報のアドレス情報を用いて情報サーバにアクセスすることにより、所望の番組関連情報を取得することを特徴とする。
このような第１９の発明によれば、アドレスサーバに番組識別情報と番組関連情報のアドレス情報とを対応づけて蓄積することにより、既存の情報サーバをそのまま使用した場合でも、テレビジョン受信機は、番組識別情報を用いて情報サーバから番組関連情報を取得することができる。
【００２８】
【発明の実施の形態】
（第１の実施形態）
図１は、本発明の第１の実施形態に係るシステムの構成を示す図である。図１に示すシステムは、放送局装置１０、テレビジョン受信機１００、アドレスサーバ２００、複数の情報サーバ３００、および通信網２０を備える。このうち、テレビジョン受信機１００とアドレスサーバ２００と情報サーバ３００とは、通信網２０を介して相互に通信可能に接続されている。また、放送局装置１０とアドレスサーバ２００とは、専用線で常時接続されている。なお、図１には１台のテレビジョン受信機１００のみが示されているが、図１に示すシステムには、実際には多数のテレビジョン受信機１００が含まれる。
【００２９】
放送局装置１０は、テレビジョン放送事業者によって管理される装置である。放送局装置１０は、テレビジョン受信機１００にテレビジョン信号１１を送信する。テレビジョン受信機１００は、テレビジョン受信機能を有する。すなわち、テレビジョン受信機１００は、放送局装置１０から送信されたテレビジョン信号１１を受信し、受信したテレビジョン信号１１に基づきテレビジョン映像を求め、求めたテレビジョン映像をテレビジョン画面に表示する。テレビジョン放送事業者が行うテレビジョン放送は、典型的にはデジタル方式のテレビジョン放送であるが、アナログ方式のテレビジョン放送であってもよい。
【００３０】
情報サーバ３００は、テレビジョン番組に関連する情報（以下、番組関連情報という）を蓄積するサーバである。番組関連情報とは、例えば、あるレストランで提供される料理を紹介するテレビジョン番組があった場合に、料理の作り方に関する情報、レストランに関する情報、料理が提供されるときに使用される食器に関する情報などをいう。上述したように、テレビジョン受信機１００は、通信網２０を介して情報サーバ３００と通信可能に接続されている。そこで、テレビジョン受信機１００は、通信網２０を介して情報サーバ３００にアクセスし、情報サーバ３００から番組関連情報を取得する。テレビジョン受信機１００は、情報サーバ３００から取得した番組関連情報をテレビジョン映像に重畳して、あるいは、テレビジョン映像と共にテレビジョン画面に表示する。
【００３１】
アドレスサーバ２００は、テレビジョン番組の番組表を作成し提供する事業者（以下、番組表提供事業者という）によって管理されるサーバである。番組表提供事業者は、テレビジョン番組の番組表を作成し、作成した番組表をテレビジョン受信機１００で利用できる形式の番組表情報に変換し、得られた番組表情報をアドレスサーバ２００に入力する。アドレスサーバ２００は、入力された番組表情報を、専用線を介して接続された放送局装置１０に送信する。放送局装置１０は、アドレスサーバ２００から受信した番組表情報１２を、テレビジョン信号１１に含めてテレビジョン受信機１００に送信する。
【００３２】
テレビジョン受信機１００は、通常動作時は、テレビジョン信号に基づくテレビジョン映像をテレビジョン画面に表示する。また、テレビジョン受信機１００は、テレビジョン信号１１に含まれる番組表情報に基づきユーザが認識できる番組表を作成し、ユーザからの指示に応じて、作成した番組表をテレビジョン映像に重畳して、あるいはテレビジョン映像と共にテレビジョン画面に表示する。
【００３３】
また、番組表提供事業者は、番組表に含まれる各テレビジョン番組について、テレビジョン番組を一意に識別できる番組識別情報を求め、各テレビジョン番組に対応した番組識別情報を含んだ番組表を作成する。ここで、番組識別情報とは、例えば、少なくともテレビジョン番組が放送されるチャンネルと日時（番組開始日時と番組終了日時との組、あるいは、日付と番組開始時刻と番組の長さとの組など）とを含んだ情報であり、より好ましくは、テレビジョン番組が放送されるチャンネルと日時とを含んだ符号化された情報である。
【００３４】
チャンネルと日時とを含んだ番組識別情報を使用した場合、同一のチャンネルで同一の日時に異なる地域で行われる異なるテレビジョン番組を区別できない。このため、上記のような番組識別情報を用いてテレビジョン番組を一意に特定するためには、さらに、放送地域を区別するための地域情報が必要とされる。一般に地域情報としては郵便番号や市外局番などが使用されるが、これらの地域情報で規定される地域は、必ずしも放送地域とは一致しない。このため、チャンネルと日時とを含んだ番組識別情報を使用し、さらに地域情報を使用しても、番組を一意に識別できない場合もあり得る。このような場合には、番組識別情報として、少なくともテレビジョン番組を放送する放送局とテレビジョン番組が放送される日時とを含んだ符号化された情報を用いればよい。放送局と日時とを含んだ番組識別情報を使用した場合には、チャンネルと日時とを含んだ番組識別情報を使用した場合よりも、より高い確実性をもってテレビジョン番組を識別することができる。番組識別情報として、例えば、米国ジェムスター社から提供されるＧコード（登録商標）を使用することができる。以下、本実施形態では、番組識別情報として、放送局と日時とを含んだ符号化された情報を使用することとし、この情報を番組識別コードと呼ぶ。
【００３５】
さらに、番組表提供事業者は、番組表に含まれる各テレビジョン番組について、各テレビジョン番組に関連する番組関連情報の個数（以下、数量情報という）を求め、求めた数量情報を含んだ番組表を作成する。ただし、上記数量情報は、情報サーバ３００に蓄積されている番組関連情報のうち、そのアドレス情報が番組識別コードと対応づけてアドレスサーバ２００に蓄積されているものだけを数えたものである。これにより、アドレスサーバ２００から放送局装置１０には、番組識別コードおよび数量情報を含んだ番組表情報１２が専用線を用いて送信され、放送局装置１０からテレビジョン受信機１００には、番組識別コードおよび数量情報を含んだ番組表情報を含んだテレビジョン信号１１が放送網を用いて送信される。
【００３６】
なお、以下の説明では、テレビジョン受信機１００は、受信したテレビジョン信号１１から番組表情報を取得することとするが、これに代えて、番組表情報を通信網２０を介して取得してもよい。例えば、テレビジョン受信機１００は、適宜アドレスサーバ２００との間で通信を行い、番組表情報をアドレスサーバ２００から取得してもよい。
【００３７】
図２は、テレビジョン受信機１００の構成を示すブロック図である。テレビジョン受信機１００は、チューナ１０１、分離部１０２、デコーダ１０３、ＯＳＤ（Ｏｎ　Ｓｃｒｅｅｎ　Ｄｉｓｐｌａｙ　）処理部１０４、合成部１０５、表示部１０６、制御部１１１、通信部１１２、入力部１１３、番組表情報記憶部１１４、および記憶部１１５を備える。
【００３８】
チューナ１０１は、放送局装置１０から送信されたテレビジョン信号１１から、ユーザによって選択された周波数帯の信号を抽出し、トランスポートストリームとして出力する。分離部１０２は、チューナ１０１から出力されたトランスポートストリームを、デジタル映像信号とデジタル音声信号と制御信号とに分離する。デコーダ１０３は、分離部１０２から出力された、符号化されたデジタル映像信号およびデジタル音声信号に基づき、アナログ映像信号およびアナログ音声信号を求める。ＯＳＤ処理部１０４は、制御部１１１から出力されたＯＳＤ制御信号に基づき、ＯＳＤ表示信号を出力する。合成部１０５は、デコーダ１０３から出力されたアナログ映像信号に対して、ＯＳＤ処理部１０４から出力されたＯＳＤ表示信号を合成する。表示部１０６は、合成部１０５から出力されたアナログ映像信号を画面に表示する。なお、デコーダ１０３から出力されたアナログ音声信号は、音声出力部（図示せず）から出力される。
【００３９】
制御部１１１は、テレビジョン受信機１００に関する各種の制御を行う。通信部１１２は、制御部１１１からの制御に従い、通信網２０に接続されたアドレスサーバ２００および情報サーバ３００との間でデータを送受信する。入力部１１３は、ユーザからのコマンドを入力するための入力装置である。入力部１１３は、ユーザから入力されたコマンドに応じて、コマンド入力信号を制御部１１１に出力する。
【００４０】
番組表情報記憶部１１４および記憶部１１５は、制御部１１１の作業用データを記憶する。分離部１０２で分離された制御信号には、放送局装置１０から送信された番組表情報が含まれる。制御部１１１の作業用データのうち番組表情報は、番組表情報記憶部１１４に記憶される。放送局装置１０から放送された番組表情報には、番組表に含まれる各テレビジョン番組の番組識別コードおよび数量情報が含まれるので、これら番組識別コードおよび数量情報も、図２に示すように、番組表情報記憶部１１４に記憶される。制御部１１１の作業用データのうち番組表情報以外のデータは、記憶部１１５に記憶される。記憶部１１５には、例えば、番組関連情報のアドレス情報として、番組関連情報のＵＲＬ（Ｕｎｉｆｏｒｍ　Ｒｅｓｏｕｒｃｅ　Ｌｏｃａｔｏｒ）が記憶される。なお、以上の説明では、テレビジョン受信機１００は、番組表情報記憶部１１４および記憶部１１５を別々に備えることとしたが、両者を１つの記憶部として構成してもよいことは言うまでもない。
【００４１】
テレビジョン受信機１００において、テレビジョン画面にテレビジョン映像以外の画面を表示するときには、制御部１１１が、テレビジョン映像以外の画面を生成するためのＯＳＤ制御信号を生成し、生成したＯＳＤ制御信号をＯＳＤ処理部１０４に出力する。これにより、番組表や、バナーや、コマンド入力画面などが、テレビジョン映像に重畳して、あるいはテレビジョン画面と共にテレビジョン画面に表示される。
【００４２】
図３は、テレビジョン受信機１００で使用される番組表を示す図である。番組表は、各テレビジョン番組がどの放送局から（あるいはどのチャンネルで）いつ放送されるかを示す。図３に示す番組表では、横方向に放送局（あるいはチャンネル）が並べられ、各放送局から（あるいは各チャンネルで）放送されるテレビジョン番組が時系列順に縦方向に並べられている。番組表に含まれる各テレビジョン番組には、タイトルと番組識別コードと数量情報とが対応づけられる。図３では、項目ＴＩＴＬＥ、ＰＣＯＤＥおよびＩＮＦＮＯとして表示されているデータが、それぞれ、テレビジョン番組のタイトル、番組識別コードおよび数量情報である。図３に示す番組表では、例えば、Ｂ放送によって１９時から２０時の間に放送されるテレビジョン番組のタイトルは「季節の料理」で、番組識別コードは「３５６７８３４９」で、数量情報は「３」である。
【００４３】
図４は、アドレスサーバ２００の構成を示すブロック図である。アドレスサーバ２００は、入力部２０１、第１の通信部２０２、第２の通信部２０３、制御部２０４、および記憶部２０５を備える。入力部２０１は、アドレスサーバ２００にデータを入力するための入力装置である。番組表提供事業者（アドレスサーバ２００の管理者）は、番組識別コードおよび数量情報を含んだ番組表を、テレビジョン受信機１００で利用できる形式の番組表情報に変換し、得られた番組表情報を入力部２０１を用いて入力する。第１の通信部２０２は、入力された番組表情報を、専用線を介して接続された放送局装置１０に送信する。
【００４４】
番組表提供事業者は、入力部２０１を用いて、番組表情報とともに、番組表に含まれる各テレビジョン番組について、当該テレビジョン番組に関連する番組関連情報のＵＲＬおよびタイトルを入力する。この際、１つのテレビジョン番組に関連する番組関連情報が複数存在する場合には、番組表提供事業者は、１つのテレビジョン番組について複数のＵＲＬおよび複数のタイトルを入力する。入力部２０１から入力されたＵＲＬおよびタイトルは、当該ＵＲＬに対応したテレビジョン番組の番組識別コードと対応づけを保って記憶部２０５に記憶される。
【００４５】
図５は、アドレスサーバ２００の記憶部２０５に記憶されるデータを示す図である。記憶部２０５には、図５に示すように、番組識別コードに対応づけて、番組関連情報のＵＲＬおよびタイトルが記憶される。図５に示すデータは、図３に示した番組表に対応している。図３に示す番組表では、Ａ放送によって２０時から２１時の間に放送されるテレビジョン番組の番組識別コードは「９８７６５　」であり、数量情報は「１」である。これに対応して、記憶部２０５には、図５に示すように、番組識別コードが「９８７６５　」であるテレビジョン番組に関連する番組関連情報のＵＲＬおよびタイトルが、それぞれ１個ずつ記憶されている。また、Ｂ放送によって１９時から２０時の間に放送されるテレビジョン番組の番組識別コードは「３４６７８３４９」であり、数量情報は「３」である。これに対応して、記憶部２０５には、番組識別コードが「３４６７８３４９」であるテレビジョン番組に関連する番組関連情報のＵＲＬおよびタイトルが、それぞれ３個ずつ記憶されている。
【００４６】
図４に戻ると、第２の通信部２０３は、通信網２０を介して接続されたテレビジョン受信機１００との間でデータを送受信する。第２の通信部２０３は、テレビジョン受信機１００から番組識別コードを受信する。制御部２０４は、第２の通信部２０３で受信した番組識別コードを用いて、記憶部２０５を検索する。第２の通信部２０３は、制御部２０４で検索されたＵＲＬおよびタイトルを、テレビジョン受信機１００に送信する。
【００４７】
図６は、アドレスサーバ２００によるＵＲＬ提供処理を示すフローチャートである。アドレスサーバ２００の制御部２０４は、第２の通信部２０３がテレビジョン受信機１００との間で通信を開始したときに、以下の処理を実行する。
【００４８】
制御部２０４は、アドレスサーバ２００がテレビジョン受信機１００からアクセスされるまで（すなわち、第２の通信部２０３がテレビジョン受信機１００との間で通信を開始するまで）待機する（ステップＳ６０１）。アドレスサーバ２００がテレビジョン受信機１００からアクセスされると（ステップＳ６０１のＹＥＳ）、制御部２０４は、第２の通信部２０３を用いて、テレビジョン受信機１００から番組識別コードを受信する（ステップＳ６０２）。
【００４９】
次に、制御部２０４は、受信した番組識別コードに対応したＵＲＬおよびタイトルを検索する（ステップＳ６０３）。より詳細には、制御部２０４は、ステップＳ６０２で受信した番組識別コードを使用して記憶部２０５を検索し、当該番組識別コードに対応したＵＲＬおよびタイトルを記憶部２０５から読み出す。
【００５０】
次に、制御部２０４は、第２の通信部２０３を用いて、ステップＳ６０３で読み出したＵＲＬおよびタイトルを、アドレスサーバ２００にアクセスしたテレビジョン受信機１００に送信する（ステップＳ６０４）。このようにして、アドレスサーバ２００は、受信した番組識別コードに対応したＵＲＬおよびタイトルを、テレビジョン受信機１００に送信する。
【００５１】
図７は、テレビジョン受信機１００による情報取得処理を示すフローチャートである。図７に示す処理は、ユーザがテレビジョン画面に表示された番組表を用いて番組関連情報を取得する場合に実行される。なお、図７に示す処理が実行される前に、テレビジョン受信機１００の番組表情報記憶部１１４には、番組識別コードおよび数量情報を含んだ番組表情報が記憶されており、アドレスサーバ２００の記憶部２０５には、番組識別コードと番組関連情報のＵＲＬおよびタイトルがと記憶されているとする。
【００５２】
制御部１１１は、まず、番組表情報記憶部１１４に記憶された番組表情報に基づき、テレビジョン画面に番組表を表示する制御を行う（ステップＳ７０１）。この際、制御部１１１は、番組表に含まれている各テレビジョン番組を、各テレビジョン番組の数量情報に応じた態様で表示する制御を行う。例えば、制御部１１１は、数量情報が大きいほど濃い色で、数量情報が小さいほど薄い色で、番組表に含まれるテレビジョン番組を表示する制御を行ってもよい。あるいは、制御部１１１は、番組関連情報が存在するテレビジョン番組（すなわち、数量情報が１以上であるテレビジョン番組）を、番組関連情報が存在しないテレビジョン番組とは異なる背景色を用いて表示する制御を行ってもよい。あるいは、制御部１１１は、各テレビジョン番組の数量情報に応じて特定の文字列や記号を追加したり、各テレビジョン番組の数量情報をそのまま追加したりした上で各テレビジョン番組を表示する制御を行ってもよい。
【００５３】
次に、制御部１１１は、番組表情報記憶部１１４から、ユーザが現在仮に選択しているテレビジョン番組の数量情報を読み出す（ステップＳ７０２）。次に、制御部１１１は、ステップＳ７０２で読み出した数量情報を含んだ確認画面を表示する制御を行う（ステップＳ７０３）。
【００５４】
図８は、テレビジョン画面に確認画面が表示される様子を示す図である。図８に示すテレビジョン画面８０１には、図３に示した番組表が表示されている。テレビジョン画面８０１には、各テレビジョン番組のタイトルおよび数量情報が表示されており、番組識別コードは番組表を見やすくするために表示されていない。また、番組関連情報が存在するか否かをユーザに容易に認識させるために、番組関連情報が存在するテレビジョン番組は、番組関連情報が存在しないテレビジョン番組とは異なる背景色を用いて強調表示される。例えば、テレビジョン画面８０１では、タイトルが「季節の料理」であるテレビジョン番組と、タイトルが「ドラマ」であるテレビジョン番組とが強調表示されている。このように番組関連情報が存在するか否かに応じて、番組表に含まれている各テレビジョン番組が異なる態様で表示される場合は、各テレビジョン番組の数量情報は、テレビジョン画面に必ずしも表示される必要はない。
【００５５】
また、ユーザが現在、タイトルが「季節の料理」であるテレビジョン番組を仮に選択しているとした場合、テレビジョン画面８０１には、図８に示す確認画面８０２が表示される。図３に示す番組表によれば、タイトルが「季節の料理」であるテレビジョン番組の数量情報は「３」である。すなわち、アドレスサーバ２００には、このテレビジョン番組の番組識別コードと対応づけて、このテレビジョン番組に関する番組関連情報のＵＲＬが３個蓄積されている。このことをユーザに認識させるために、制御部１１１は、このテレビジョン番組の数量情報（この例では３個）と、ユーザに現在の選択でよいか否かを問い合わせるための確認ボタン（この例では「はい」「いいえ」の２つのボタン）とを含んだ確認画面８０２を、テレビジョン画面に表示する制御を行う。
【００５６】
図７に戻ると、次に、制御部１１１は、ユーザからＵＲＬ取得要求が入力されたか否かを判断する（ステップＳ７０４）。ユーザからＵＲＬ取得要求が入力されるまでは（すなわち、ステップＳ７０４がＮＯである間は）、制御部１１１は、ステップＳ７０２〜Ｓ７０４の処理を繰り返し実行する。ユーザからＵＲＬ取得要求が入力されると（ステップＳ７０４のＹＥＳ）、制御部１１１は、番組表情報記憶部１１４から、ユーザによって選択されたテレビジョン番組の番組識別コードを取得する（ステップＳ７０５）。
【００５７】
次に、制御部１１１は、通信部１１２を用いて、ステップＳ７０５で取得した番組識別コードをアドレスサーバ２００へ送信する（ステップＳ７０６）。アドレスサーバ２００は、テレビジョン受信機１００から番組識別コードを受信すると、図６に示す処理を実行する。これにより、アドレスサーバ２００からテレビジョン受信機１００に対して、テレビジョン受信機１００が送信した番組識別コードに対応した番組関連情報のＵＲＬおよびタイトルが送信される。
【００５８】
次に、制御部１１１は、通信部１１２を用いて、アドレスサーバ２００から送信されたＵＲＬおよびタイトルを受信する（ステップＳ７０７）。図９は、テレビジョン受信機１００がアドレスサーバ２００から受信するデータを示す図である。図９には、アドレスサーバ２００の記憶部２０５に図５に示すデータが記憶されている状況で、テレビジョン受信機１００がアドレスサーバ２００に番組識別コード「３４６７８３４９」を送信したときに、アドレスサーバ２００からテレビジョン受信機１００に送信されるＵＲＬおよびタイトルが示されている。この例では、番組識別コード「３４６７８３４９」に対応した番組関連情報は３個存在し、番組関連情報のＵＲＬおよびタイトルも３個ずつある。したがって、テレビジョン受信機１００がアドレスサーバ２００から受信するデータには、ＵＲＬおよびタイトルがそれぞれ３個ずつ含まれる。
【００５９】
次に、制御部１１１は、アドレスサーバ２００から受信したＵＲＬおよびタイトルをテレビジョン画面に表示する制御を行う（ステップＳ７０８）。図１０は、テレビジョン画面に受信したＵＲＬおよびタイトルが表示される様子を示す図である。図１０に示すテレビジョン画面１００１には、図３に示した番組表が表示されている。これに加えてテレビジョン画面１００１には、ステップＳ７０７で受信した３個のＵＲＬおよび３個のタイトルを対応づけて示すＵＲＬ表示画面１００２が、番組表に重畳して表示される。
【００６０】
次に、制御部１１１は、ユーザによってＵＲＬが選択されるまで待機する（ステップＳ７０９）。ユーザによってあるＵＲＬが選択されると（ステップＳ７０９のＹＥＳ）、制御部１１１は、通信部１１２を用いて、選択されたＵＲＬから番組関連情報を取得する（ステップＳ７１０）。より詳細には、制御部１１１は、通信部１１２を用いて、選択されたＵＲＬに対応した情報サーバ３００にアクセスする。情報サーバ３００は、テレビジョン受信機１００からＵＲＬを受信すると、受信したＵＲＬに対応した番組関連情報をテレビジョン受信機１００に送信する。
【００６１】
次に、制御部１１１は、通信部１１２を用いて、ユーザよって選択されたＵＲＬから取得した番組関連情報を、テレビジョン画面に表示する制御を行う（ステップＳ７１１）。図１１は、テレビジョン受信機１００のテレビジョン画面に番組関連情報が表示される様子を示す図である。図１１に示すテレビジョン画面１１０１には、いくつかの建物を撮影したテレビジョン映像が表示されている。これに加えてテレビジョン画面１１０１には、番組関連情報を示す番組関連情報画面１１０２が、テレビジョン映像に重畳して表示される。番組関連情報画面１１０２は、図１０に示すＵＲＬ表示画面１００２がテレビジョン画面に表示されている状況において、タイトルが「料理レシピ」である番組関連情報がユーザによって選択された場合に表示される。このように、制御部１１１が図７に示す処理を実行することにより、テレビジョン画面には、テレビジョン映像に重畳して、テレビジョン映像に代えて、あるいは、テレビジョン映像と共に、ユーザによって選択された番組関連情報が表示される。
【００６２】
以上に示すように、本実施形態に係るシステムは、通信可能に接続されたテレビジョン受信機とアドレスサーバと情報サーバとを備える。テレビジョン受信機は、テレビジョン放送受信機能を有することに加えて、番組表情報から番組関連情報の数量を示す数量情報を取得し、取得した数量情報をテレビジョン画面に表示する。これにより、ユーザは、テレビジョン番組を選択する前にテレビジョン番組に関連する番組関連情報が存在するか否かを認識することができる。したがって、ユーザは、番組関連情報を取得する対象となるテレビジョン番組を効率的に選択することができる。
【００６３】
また、テレビジョン画面に表示された番組表を用いて、番組関連情報を取得する対象となるテレビジョン番組を選択することにより、ユーザは、視聴中でないテレビジョン番組に関連する番組関連情報を取得することができる。また、番組関連情報の数量を番組表と対応づけてテレビジョン画面に表示したり、番組表に各テレビジョン番組を番組関連情報の数量に応じた態様で表したりすることにより、ユーザは、テレビジョン番組に関連する番組関連情報が存在するか否かを容易に認識することができる。
【００６４】
また、情報サーバへのアクセスを、番組関連情報のアドレス情報ではなく番組識別情報を用いて行うことにより、番組表情報のデータの量を削減することができる。また、アドレスサーバに番組識別情報と番組関連情報のアドレス情報とを対応づけて蓄積することにより、既存の情報サーバをそのまま使用した場合でも、テレビジョン受信機は、番組識別情報を用いて情報サーバから番組関連情報を取得することができる。
【００６５】
（第２の実施形態）
本発明の第２の実施形態では、視聴中のテレビジョン番組に関連する番組関連情報を取得するテレビジョン受信機、およびこれを含んだシステムについて説明する。本実施形態に係るテレビジョン受信機１００は、バナー表示処理および情報取得処理の２つの処理を行う。
【００６６】
本実施形態に係るシステムの構成は、第１の実施形態と同じであるので、ここでは説明を省略する（図１、およびその説明を参照）。また、本実施形態に係るテレビジョン受信機の構成、番組表の構成、アドレスサーバの構成、アドレスサーバの記憶部に記憶されるデータ、およびアドレスサーバにおける処理も、第１の実施形態と同じであるので、ここでは説明を省略する（図２から図６、およびその説明を参照）。
【００６７】
図１２は、テレビジョン受信機１００によるバナー表示処理を示すフローチャートである。図１２に示す処理は、視聴中のテレビジョン番組に関連する番組関連情報が存在することをユーザに認識させるために実行される。
【００６８】
バナー表示処理は、画面表示キーが押されたときに実行される。このため、制御部１１１は、ユーザが画面表示キーを押すまで待機する（ステップＳ１２０１）。ユーザが画面表示キーを押すと（ステップＳ１２０１のＹＥＳ）、制御部１１１は、番組表情報記憶部１１４から、テレビジョン画面に表示されているテレビジョン番組の数量情報を読み出す（ステップＳ１２０２）。次に、制御部１１１は、ステップＳ１２０２で読み出した数量情報に応じたバナーをテレビジョン画面に表示する制御を行う（ステップＳ１２０３）。例えば、制御部１１１は、読み出した数量情報を示したバナーをテレビジョン画面に表示する制御を行ってもよい。あるいは、制御部１１１は、読み出した数量情報が１以上である場合には、番組関連情報が存在する旨を示すバナーをテレビジョン画面に表示し、読み出した数量情報が０である場合には、バナーをテレビジョン画面に表示しない制御を行ってもよい。
【００６９】
図１３は、テレビジョン画面に番組関連情報に関するバナーが表示される様子を示す図である。図１３に示すテレビジョン画面１３０１には、クラシックコンサートを撮影したテレビジョン映像が表示されている。また、ユーザが入力部１１３を用いて画面表示キーを入力すると、テレビジョン画面１３０１には、テレビジョン番組に関する基本情報（日時およびタイトル）を表すバナー１３０２が、テレビジョン映像に重畳して表示される。この際、テレビジョン画面に表示されているテレビジョン番組（すなわち、視聴中のテレビジョン番組）に関連する番組関連情報が存在する場合には、番組関連情報が存在する旨を示すバナー１３０３が、テレビジョン映像に重畳して表示される。なお、図１３に示す例では、バナー１３０３は、番組関連情報が存在するときには表示され、番組関連情報が存在しないときには表示されないものとする。
【００７０】
テレビジョン受信機１００のユーザは、バナー１３０３を見て、テレビジョン画面に表示されているテレビジョン番組に関連する番組関連情報が存在することを認識する。
【００７１】
図１４は、テレビジョン受信機１００による情報取得処理を示すフローチャートである。ただし、本実施形態に係るテレビジョン受信機１００による情報取得処理のうち、第１の実施形態に係るテレビジョン受信機による情報取得処理と同一の部分については、記載を省略している。
【００７２】
ユーザは、番組関連情報に興味を抱いた場合には、番組内容表示キーを押す。情報取得処理は、番組内容表示キーが押されたときに実行される。このため、制御部１１１は、ユーザが番組内容表示キーを押すまで待機する（ステップＳ１４０１）。ユーザが番組内容表示キーを押すと（ステップＳ１４０１のＹＥＳ）、制御部１１１は、番組表情報記憶部１１４から、テレビジョン画面に表示されているテレビジョン番組の数量情報を読み出す（ステップＳ１４０２）。次に、制御部１１１は、ステップＳ１４０２で読み出した数量情報と、ＵＲＬ取得要求ボタンとをテレビジョン画面に表示する制御を行う（ステップＳ１４０３）。
【００７３】
図１５は、テレビジョン画面に、視聴中のテレビジョン番組についての番組内容が表示される様子を示す図である。図１５に示すテレビジョン画面１５０１には、クラシックコンサートを撮影したテレビジョン映像１５０２が縮小表示されている。また、縮小されたテレビジョン映像１５０２以外の部分には、表示されているテレビジョン番組の基本情報（日時およびタイトル）と番組概要と番組詳細情報と番組関連情報とが、ＯＳＤ表示されている。番組関連情報の部分には、表示されているテレビジョン番組の数量情報１５０３（図１５では３個）と、ユーザに番組関連情報を取得するか否かを問い合わせるための確認ボタン１５０４とが表示される。
【００７４】
図１４に戻ると、次に、制御部１１１は、ユーザがＵＲＬ取得要求ボタンが押したか否かを判断する（ステップＳ１４０４）。図１５に示す例では、制御部１１１は、確認ボタン１５０４のうち「はい」のボタンが押されたときには、ＵＲＬ取得要求ボタンが押されたと判断し、「いいえ」のボタンが押されたときには、ＵＲＬ取得要求ボタンは押されなかったと判断する。
【００７５】
制御部１１１は、ＵＲＬ取得要求ボタンが押されたときには（ステップＳ１４０４のＹＥＳ）、図７に示したステップＳ７０５へ進む。この場合、テレビジョン受信機１００は、第１の実施形態と同様に、アドレスサーバ２００と情報サーバ３００とにアクセスすることにより、ユーザによって選択された番組関連情報を取得し、取得した番組関連情報をテレビジョン画面に表示する。これに対して、ＵＲＬ取得要求ボタンが押されなかったときには（ステップＳ１４０４のＮＯ）、テレビジョン受信機１００は、番組関連情報を取得せずに、情報取得処理を終了する。
【００７６】
以上に示すように、本実施形態に係るテレビジョン受信機は、視聴中のテレビジョン番組の数量情報をテレビジョン画面に表示する。これにより、ユーザは、視聴中のテレビジョン番組に関連する番組関連情報が存在するか否かを認識した上で、番組関連情報の取得を指示することができる。また、番組関連情報の数量に応じたバナーをテレビジョン画面に表示することにより、ユーザは、視聴中のテレビジョン番組に関連する番組関連情報が存在するか否かを容易に認識することができる。また、番組関連情報の数量を、縮小されたテレビジョン映像と共に表示することにより、ユーザは、テレビジョン番組を見ながら、視聴中のテレビジョン番組に関連する番組関連情報が存在するか否かを認識することができる。
【００７７】
なお、上述した第１および第２の実施形態に係るシステムでは、テレビジョン受信機は、アドレスサーバおよび情報サーバに２段階のアクセスを行うことに代えて、図１６に示すように、記憶部１６０２に番組識別コードと番組関連情報とを対応づけて記憶している情報サーバ１６０１に１回アクセスすることにより、番組関連情報を取得してもよい。また、アドレスサーバは、放送局装置と一体に形成され、テレビジョン放送事業者によって管理されることとしてもよい。
【００７８】
また、第２の実施形態に係るテレビジョン受信機は、視聴中のテレビジョン番組の数量情報を含んだ番組内容画面を、縮小されたテレビジョン映像と共に、テレビジョン画面に表示することとしたが、テレビジョン受信機は、視聴していないテレビジョン番組を含んだ番組内容画面を、縮小されたテレビジョン映像と共に、テレビジョン画面に表示してもよい。例えば、テレビジョン受信機は、テレビジョン番組Ａを受信中に、受信中でないテレビジョン番組Ｂを指定した番組内容表示キーが押されたときには、テレビジョン番組Ｂの数量情報を含んだ番組内容画面を、縮小されたテレビジョン番組Ａのテレビジョン映像（あるいは、縮小されたテレビジョン番組Ｂの静止映像）と共に、テレビジョン画面に表示してもよい。
【図面の簡単な説明】
【図１】本発明の第１および第２の実施形態に係るシステムの構成を示す図
【図２】本発明の第１および第２の実施形態に係るテレビジョン受信機の構成を示すブロック図
【図３】本発明の第１および第２の実施形態に係るテレビジョン受信機で使用される番組表を示す図
【図４】本発明の第１および第２の実施形態に係るアドレスサーバの構成を示す図
【図５】本発明の第１および第２の実施形態に係るアドレスサーバに記憶されるテーブルを示す図
【図６】本発明の第１および第２の実施形態に係るアドレスサーバによるＵＲＬ提供処理を示すフローチャート
【図７】本発明の第１の実施形態に係るテレビジョン受信機による情報取得処理を示すフローチャート
【図８】本発明の第１の実施形態に係るテレビジョン受信機に確認画面が表示される様子を示す図
【図９】本発明の第１の実施形態に係るテレビジョン受信機がアドレスサーバから受信するデータを示す図
【図１０】本発明の第１の実施形態に係るテレビジョン受信機に受信したＵＲＬが表示される様子を示す図
【図１１】本発明の第１の実施形態に係るテレビジョン受信機に番組関連情報が表示される様子を示す図
【図１２】本発明の第２の実施形態に係るテレビジョン受信機によるバナー表示処理を示すフローチャート
【図１３】本発明の第２の実施形態に係るテレビジョン受信機に番組関連情報に関するバナーが表示される様子を示す図
【図１４】本発明の第２の実施形態に係るテレビジョン受信機による情報取得処理を示すを示すフローチャート
【図１５】本発明の第２の実施形態に係るテレビジョン受信機に、視聴中のテレビジョン番組についての番組内容が表示される様子を示す図
【図１６】本発明の第１および第２の実施形態に係るシステムの他の構成を示すブロック図
【図１７】従来の情報提供システムの構成を示す図
【符号の説明】
１０…放送局装置
１１…テレビジョン信号
１２…番組表情報
２０…通信網
１００…テレビジョン受信機
１０１…チューナ
１０２…分離部
１０３…デコーダ
１０４…ＯＳＤ処理部
１０５…合成部
１０６…表示部
１１１…制御部
１１２…通信部
１１３…入力部
１１４…番組表情報記憶部
１１５…記憶部
２００…アドレスサーバ
３００、１６０１…情報サーバ
【図１】
2004080748.tif 000003
【図２】
2004080748.tif 000004
【図３】
2004080748.tif 000005
【図４】
2004080748.tif 000006
【図５】
2004080748.tif 000007
【図６】
2004080748.tif 000008
【図７】
2004080748.tif 000009
【図８】
2004080748.tif 000010
【図９】
2004080748.tif 000011
【図１０】
2004080748.tif 000012
【図１１】
2004080748.tif 000013
【図１２】
2004080748.tif 000014
【図１３】
2004080748.tif 000015
【図１４】
2004080748.tif 000016
【図１５】
2004080748.tif 000017
【図１６】
2004080748.tif 000018
【図１７】
2004080748.tif 000019